(57)【要約】      （修正有）【課題】多種の電子カードを収納でき、操作が便利なカード用コネクタを提供すること。【解決手段】一方が開口しているカード挿入口１５を有する矩形の絶縁本体１は、基部１１と、該基部１１から上向きに突出し、該挿入口１５に対向する後壁１３と、互いに対向する状態に配置される第１側壁１２１、第２側壁１２２と、該後壁１３と第１、第２側壁１２１、１２２から包囲される挿入槽１０とを備える。基部１１の内表面には、MINISDカード９１を対応し、後壁１３と第１、第２側壁１２１、１２２を連接するコ字形状の第１段差部１４１と、ＳＤカード９２を案内し、第１段差部１４１の上表面の両側に設置される階段状の第２段差部１４２とから形成される２段階の階段状の段差部が設けられる。転換板は、ボルト部５によって所定の位置に固着され、かつ挿入される電子カードと接触する。【選択図】図４
0003122040.tif 000002
【実用新案登録請求の範囲】
【請求項１】
多種の電子カードを挿入することを用いるカード用コネクタであって、
挿入槽が形成される絶縁本体と、
該絶縁本体に挿入される複数の導電端子と、
絶縁本体に取り付けられるハウジングと、
転換可能な転換部材と転換軸とからなる作動機構と、
少なくとも一つのボルト部と、を備え、
前記転換部材は、ボルト部によって所定の位置に固着され、かつ挿入される電子カードと接触することを特徴とするカード用コネクタ。
【請求項２】
前記各ボルト部は、
首部と、
首部から下向きに突出する挿入部と、
内側に突出し、両側に圧押され可能な凸状部片が設けられる尾部と、
首部と尾部の間に位置し、内側に突出する突出部と、
を含むことを特徴とする、請求項１に記載のカード用コネクタ。
【請求項３】
前記転換部材は、
転換板と、
転換板の両側から滑らかに下向きに折り曲げ、凸状部片に阻止され可能、両側に押圧される凸状部片から外れ可能な一対の接触部と、
上向きに傾斜する連接部と、連接部の前端から内に折り曲げる転換部と、
を有することを特徴とする、請求項１に記載のカード用コネクタ。
【請求項４】
前記ハウジングは、
頂壁と、
頂壁の前端から前方に突出する一対のアーム部と、
転換部材が嵌め込まれる開口と、
を有することを特徴とする、請求項３に記載のカード用コネクタ。
【請求項５】
前記転換軸は、両端がハウジングの一対のアーム部に取り付けられることを特徴とする、請求項４に記載のカード用コネクタ。
【請求項６】
多種の電子カードを挿入することを用いるカード用コネクタであって、
挿入槽が形成される絶縁本体と、
該絶縁本体に挿入される複数の導電端子と、
絶縁本体に取り付けられるハウジングと、
転換可能な転換部材と転換軸とからなる作動機構と、
少なくとも一つのバネ体と、を備え、
前記転換板は、バネ体によって所定の位置に固着され、かつ挿入される電子カードと接触することを特徴とするカード用コネクタ。
【請求項７】
前記前記転換部材は、
転換板と、
転換板の両側から滑らかに下向きに折り曲げる一対の接触部と、
転換板から上向きに傾斜する連接部と、
連接部の前端から内に折り曲げる転換部と、
を有することを特徴とする、請求項６に記載のカード用コネクタ。
【請求項８】
前記ハウジングは、
頂壁と、
頂壁の前端から前方に突出する一対のアーム部と、
転換部材が嵌め込まれる開口と、
を有することを特徴とする、請求項６に記載のカード用コネクタ。
【請求項９】
前記一対のバネ体は、転換軸を囲んで転換部の両側に実装され、転換軸の両端がハウジングの一対のアーム部に取り付けられることを特徴とする、請求項８に記載のカード用コネクタ。
【考案の詳細な説明】
【技術分野】
【０００１】
本考案はカード用コネクタに関し、厚さや幅等の大きさの異なる多種の電子カードを収容するカード用コネクタに関する。
【背景技術】
【０００２】
電子技術の発展に従って、SDカードとMINISDカードのような多種の電子カードの利用が非常に増大したため、大小の大きさの異なる２種類の電子カードを挿入できる小型化のカード用コネクタが広く求められている。
【０００３】
一種のカード用複合コネクタは、収納空間が形成され、基部を含む絶縁本体と、カバーと、絶縁本体に挿入され、複数の第１端子と、複数の第２端子と、突起が設けられる可動板と溝部が形成される操作板とを含む切換機構と、を備える。該溝部は、前向き及び上向きに傾斜する方向に延在する。第１カードは、挿入時、収納空間に収納され、第１端子と接触する。第２カード挿入時、第２カードは、厚さが操作板と絶縁本体の基部の間の距離より大きいことから、操作板を内部に押す。押される操作板は、突起が傾斜した方向に延在する溝部に沿って滑動することから、上方に移動する。移動した操作板と基部の間の距離は大きくなる。これにより、第２カードは、収納空間に収納でき、第２端子に接触する。こうしたカード用コネクタの構造は従来技術文献に記載されている（例えば、特許文献１参照）。
【特許文献１】特開２００４−３１１４１６号
【０００４】
第２カードが押される操作板は、突起が傾斜した方向に延在する溝部に沿って滑動することから、上方に移動する。これにより、第２カードは、単に、収納空間に収納される。ところで、操作板の突起は、溝部に滑動することによって、受ける摩擦力が大きくなる。第２カードを挿入する操作は不便である。
【０００５】
従って、本考案は前記の欠点を克服するために一種の新たなカード用コネクタを構成する。
【考案の開示】
【考案が解決しようとする課題】
【０００６】
本考案の目的は、こうした従来の問題点を解決したカード用コネクタを提供することである。すなわち、従来の技術とは異なり、多種の電子カードを収納でき、かつ操作が便利なカード用コネクタが得られるようにすることである。
【課題を解決するための手段】
【０００７】
本考案は、MINISDカードとSDカードのような多種の電子カードを挿入することを用いるカード用コネクタに関し、該カード用コネクタは、挿入槽が形成される絶縁本体と、該絶縁本体に挿入される複数の導電端子と、絶縁本体に取り付けられるハウジングと、転換可能な転換部材と転換軸と一対のバネ体からなる作動機構と、一対のボルト部と、を備える。前記転換板は、ボルト部によって、所定の位置に固着され、かつ挿入される電子カードと接触する。
【考案の効果】
【０００８】
従来の技術に比べると、本考案は以下の長所がある。本考案のSDカードは、挿入される時、ボルト部がSDカードに両側に押圧され、かつ転換部材が上向きに移動することによって、絶縁本体に収納される。この操作は、容易に実現される。
【考案を実施するための最良の形態】
【０００９】
図４及び図５に示すように、カード用コネクタは、MINISDカード９１と、SDカード９２を挿入することに用いる。該カード用コネクタは、絶縁本体１と、絶縁本体１を覆うハウジング２と、絶縁本体１に固着される複数の第１導電端子３１と、複数の第２導電端子３２と、接地端子３３と、検出端子３４と、保持端子３５と、イジェクト機構４と、一対のボルト部５と、作動機構と、を備える。該作動機構は、回転可能な転換部材６と、一対のバネ体７と、転換軸８と、を有する。
【００１０】
一方が開口しているカード挿入口１５を有する矩形の絶縁本体１は、基部１１と、該基部１１から上向きに突出し、該挿入口１５に対向する後壁１３と、互いに対向する状態に配置される第１側壁１２１、第２側壁１２２と、該後壁１３と第１、第２側壁１２１、１２２から包囲される挿入槽１０と、を備える。基部１１の内表面には、MINISDカード９１を対応し、後壁１３と第１、第２側壁１２１、１２２を連接するコ字形状の第１段差部１４１と、SDカード９２を案内し、第１段差部１４１の上表面の両側に設置される階段状の第２段差部１４２と、から形成される２段階の階段状の段差部が設けられる。
【００１１】
基部１１には、第１導電端子３１を対応する複数の第１端子槽１１１が形成される。第１段差部１４１には、第２導電端子３２を対応する複数の第２端子槽１１２が形成される。第１側壁１２１には、接地端子３３を対応する第３端子槽１１３と、検出端子３４を対応する第４端子槽１１４と、保持端子４５を対応する第５端子槽１１５とが、後壁１３から前方に向きに順番に形成される。第２側壁１２２の外表面には、外向きに突出する複数の係合部１６が設けられる。第１、第２側壁１２１，１２２の頂部の前部には、一対のボルト部５を対応する一対のスロット１１６が形成される。
【００１２】
ハウジング２は、頂壁２１と、頂壁２１の一対の対向する側辺から下向きに延在する第１延在壁２２１、第２延在壁２２２と、頂壁２１の前端から前方に突出する一対のアーム部２４１、２４２と、を有する。第２延在壁２２２には、前記係合部１６を係合する複数の係合孔２５が形成される。第１、第２延在壁２２１、２２２の底部には、外向きに延在する複数の半田部２２６が設けられる。各アーム部２４１，２４２には、上向きに突出する片状部２４１１、２４２１と、片状部２４１１、２４２１の前端から内側に折り曲げる鉤部２４１２、２４２２と、を含む。
【００１３】
各ボルト部５は、首部５１と、首部５１から下向きに突出する挿入部５２と、内側に突出する凸状部片５５が設けられる尾部５４と、首部５１と尾部５４の間に位置し、内側に突出する突出部５３と、を含む。
【００１４】
転換部材６は、転換板６１と、転換板６１の両側から滑らかに下向きに折り曲げる一対の接触部６３と、上向きに傾斜する連接部６４と、連接部６４の前端から内に折り曲げる転換部６５と、を有する。
【００１５】
各バネ体７は、コイル部７１と、コイル部７１の一端から延在する第１弾力アーム７２と、コイル部７１の他端から延在する第２弾力アーム７３と、を含む。第２弾力アーム７３は、第１弾力アーム７２より長い。第１、第２弾力アーム７２、７３には、それぞれ、直角に折り曲げる第１折り曲げ部７２１、第２折り曲げ部７３１、を設ける。
【００１６】
図１乃至図８に示すように、該カード用コネクタを取り付ける時、先ず、複数の第１導電端子３１は、対応する第１端子槽１１１に挿入される。複数の第２導電端子３２と、接地端子３３と、検出端子３４と、保持端子３５は、それぞれ、対応する第２、第３、第４、第５端子槽１１２、１１３、１１４、１１５に挿入される。イジェクト機構４は、絶縁本体１に装入される。
【００１７】
次に、図６において、転換軸８は、転換部材６の転換部６５に収納される。一対のバネ体７は、転換軸８を囲んで転換部６５の両側に実装される。転換部材６とバネ体７と転換軸８から一体になる作動機構は、ハウジング２に固着され、転換部材６が、ハウジング２の開口２３に嵌め込まれる。転換軸８は、両端がハウジング２の鉤部２４１２、２４２２に収納される。この状態で、第１弾力アーム７２は、実装された転換板６１の上表面に位置し、第１折り曲げ部７２１が、連接部６４の上表面を接触する。同時に、第２弾力アーム７３は、片状部２４１１、２４１２の下表面に接触する。ボルト部５は絶縁本体１に組み合わせられ、かつ挿入部５２はスロット１１６に挿入される。
【００１８】
最後、作動機構が装入されるハウジング２は、ボルト部６が挿入される絶縁本体１に組み合わされる。第１、第２延在壁２２１、２２２は、それぞれ第１、第２側壁１２１、１２２を覆う。複数の係合孔２５は、複数の係合部１１６と係合する。
【００１９】
図９に示すように、使用する時、MINISDカード９１は、第１段差部１４１に沿って、絶縁本体１の挿入口１５から挿入槽１０向きに挿入される。この時、転換部材６の転換板６１は、MINISDカード９１が挿入されていることによって、押圧されて上向きに回転し、所定の高さに到達した場合には、一対の接触部６３はボルト部５の一対の凸状部片５５に阻止される。MINISDカード９１は、所定の位置に到達する。これにより、該カード用コネクタと係合しない電子カードが誤挿入されることを防止できる。挿入槽１０に挿入されるMINISDカード９１は、対応する第１導電端子３１を接触する。
【００２０】
図１０において、SDカード９２は、第２段差部１４２に沿って、絶縁本体１の挿入口１５から挿入槽１０向きに挿入される。SDカード９２は、ボルト部５の転換部材６の転換板６１を接触するのと同時に、転換板６１を上向きに押圧する。同時に、SDカード９２の幅さがMINISDカード９１の幅さより広いことによって、ボルト部５の突出部５３は、SDカード９２に両側に押圧される。同時に、凸状部片５５が、両側に押圧されることによって、ボルト部５は、開放された状態になる。これにより、転換部材６は、接触部６３が、凸状部片５５に阻止されずに、続けて上向きに移動する。これにより、SDカード９２は、継続的に内部に挿入され、所定の位置に到達した場合には、第２導電端子３２を電気接続する。
【００２１】
他の実施例において、MINISDカード９１SD或いはSDカード９２が挿入される時、上向きに移動する転換板６１は、一対のバネ体７によって、所定の高さに定位される。
【００２２】
既して、本考案の多数の特徴及び長所など、その構造及び機能を前述の記載により共に説明した。また、前述の記載や、本考案に基づきなし得る細部の修正或は変更など、いずれも本考案の請求範囲に属するものである。
【産業上の利用可能性】
【００２３】
本考案はカード用コネクタに関し、特に、多種の電子カードを収納でき、操作が容易なカード用コネクタに関する。
【図面の簡単な説明】
【００２４】
【図１】本考案のカード用コネクタの組立斜視図である。
【図２】本考案のMINISDカードを挿入し、ハウジングを外れるカード用コネクタの組立斜視図である。
【図３】本考案のSDカードを挿入し、ハウジングを外れるカード用コネクタの他の組立斜視図である。
【図４】本考案のカード用コネクタの分解斜視図である。
【図５】本考案のカード用コネクタの他の分解斜視図である。
【図６】本考案の図１のカード用コネクタの標号Ｃの局部放大図である。
【図７】本考案の作動機構がハウジングに装入される時のカード用コネクタの一部分の組立斜視図である。
【図８】本考案の作動機構がハウジングに装入される時のカード用コネクタの一部分の他の組立斜視図である。
【図９】本考案のMINISDカードが挿入されるカード用コネクタの図２のＢ―Ｂの方向に沿った断面図である。
【図１０】本考案のSDカードが挿入されるカード用コネクタの図１のＡ―Ａの方向に沿った断面図である。
【符号の説明】
【００２５】
１  絶縁本体
２  ハウジング
４  イジェクト機構
５  ボルト部
６  転換部材
７  バネ体
８  転換軸
１０  挿入槽
１１  基部
１３  後壁
１５  挿入口
１６  係合部
２１  頂壁
２３  開口
２５  係合孔
２６  半田部
３１  第１導電端子
３２  第２導電端子
３３  接地端子
３４  検出端子
３５  保持端子
５１  首部
５２  挿入部
５３  突出部
５４  尾部
５５  凸状部片
６１  転換板
６３  接触部
６４  連接部
６５  転換部
７１  コイル部
７２  第１弾力アーム
７３  第２弾力アーム
９１  MINISDカード
９２  SDカード
１１１  第１端子槽
１１２  第２端子槽
１１３  第３端子槽
１１４  第４端子槽
１１５  第５端子槽
１１６  スロット
１２１  第１側壁
１２２  第２側壁
１４１  第１段差部
１４２  第２段差部
２２１  第１延在壁
２２２  第２延在壁
２４１  、２４２  アーム部
３１１、３２１  半田脚
７２１  第１折り曲げ部
７３１  第２折り曲げ部
２４１１、２４２１  片状部
２４１２、２４２２  鉤部
【図１】
0003122040.tif 000003
【図２】
0003122040.tif 000004
【図３】
0003122040.tif 000005
【図４】
0003122040.tif 000006
【図５】
0003122040.tif 000007
【図６】
0003122040.tif 000008
【図７】
0003122040.tif 000009
【図８】
0003122040.tif 000010
【図９】
0003122040.tif 000011
【図１０】
0003122040.tif 000012